(57)【要約】      （修正有）【課題】上下左右対称であり、かつ縦横の幅が同じという従来あった医療用止血バンに替わる、より機能性を備えた医療用止血バンを提供する。【解決手段】穿刺方向を示す目印を有する貼付部材１２と、貼付部材の中央に設けられたパット部材１１からなる医療用止血バンであり、パット部材は、横幅に対する縦幅の比が１．１から３．０であり、その幅の差が２ｍｍ以上、その形状が楕円様ないし長方形様の形状である。【選択図】図１
2017006437.tif 000002
【特許請求の範囲】
【請求項１】
穿刺方向を示す目印を有する貼付部材と，前記貼付部材の中央に設けられたパット部材からなることを特徴とする医療用止血バン
【請求項２】
前記パット部材において穿刺方向を縦として，横幅よりも縦幅が長い構成となっていることを特徴とする請求項１に記載の医療用止血バン
【請求項３】
穿刺方向を示す目印として，切り欠け部若しくは切れ目等の形状，素材の色や形若しくは材質の違い，これらを単独又は組み合わせて目印を設けることを特徴とする請求項１又は２に記載の医療用止血バン
【請求項４】
パッド部材の縦軸方向に沿った形で切り欠け部が設けられていることを特徴とする請求項３に記載の医療用止血バン
【請求項５】
前記切り欠け部とパットの間が5から40mm離れていることを特徴とする請求項４に記載の医療用止血バン
【請求項６】
前記パット部材が，横幅に対する縦幅の比が1.1から3.0であり，その幅の差が2mm以上，その形状が楕円様ないし長方形様の形状であることを特徴とする請求項１から５に記載の医療用止血バン
【請求項７】
前記パッド部材の横幅が5から40mm，縦幅が5.5から80mmであることを特徴とする請求項１から６に記載の医療用止血バン
【請求項８】
パッド部材が，レーヨン，ポリエステル，セルロース，ポリプロピレン，ハイドロコロイド素材，アルギン酸塩，ハイドロゲルのいずれか又は複数から選択されることを特徴とする請求項１から７に記載の医療用止血バン
【請求項９】
貼付部材において，アクリル系粘着剤，シリコーン系粘着剤，ウレタン系粘着剤のいずれか又は複数を用いることを特徴とする請求項１から８に記載の医療用止血バン
【請求項１０】
請求項１ないし９に記載の医療用止血バン貼付部材において，穿刺方向を示す目印部分に糊無セパレーター部材が貼付され，かつ，これと反対側に把手シート部材が貼付され，これら部材を覆うように貼付部材全体に糊付セパレーター部材が貼付され，
これらがコールドシールにより覆われていることを特徴とする医療用止血バン製品
【発明の詳細な説明】
【技術分野】
【０００１】
本発明は，医療用止血バン製品に関する。
【背景技術】
【０００２】
医療用止血バンは，透析や採血，静脈注射などを行った際の穿刺部の被覆保護を目的として使用される。医療用止血バンは，穿刺部から出る血液を吸収しつつ圧迫を行うパッド部分と，これを多い皮膚に貼付するための貼付部材からなる。このような医療用止血バンとして，例えば，非特許文献１等に開示される医療用止血バンが，医療現場において，広く用いられている（非特許文献１から３）。
【先行技術文献】
【非特許文献】
【０００３】
【非特許文献１】ニチバン株式会社  インジェクションパッドマイルド（URL：http://www.nichiban.co.jp/medical/products/protection/injection-pad-mild/）
【非特許文献２】ニチバン株式会社  インジェクションパッド（URL: http://www.nichiban.co.jp/medical/products/protection/injection-pad/）
【非特許文献３】ニチバン株式会社  チューシャバン（URL：http://www.nichiban.co.jp/medical/products/protection/chushavan/）
【発明の開示】
【発明が解決しようとする課題】
【０００４】
非特許文献１および２に開示される医療用止血バンは，パッド部分および貼付部材部分，ともに円状の医療用止血バンである。また，非特許文献３に開示される医療用止血バンは，これらがともに正方形の医療用止血バンである。
これら従来技術に開示される医療用止血バンは，上下左右対称であり縦と横が同じ幅の形状をしている。そのため，使用する際に形状に制限されず使用することができるという利点を有する。
【０００５】
しかしながら，発明者らは，医療用止血バンの機能を考慮すると，上下左右対称であり，縦横の幅が同じである必要性は必ずしもないことを発見した。加えて，この上下左右対称という医療用止血バンの形状が，針の挿入等を行う際，何らの目印にもならないことから，かえって使い勝手を悪くしている点に着目した。
【０００６】
上記事情を背景として，本発明では，上下左右対称であり，かつ縦横の幅が同じという従来あった医療用止血バンに替わる，より機能性を備えた医療用止血バンの開発を課題とする。
【課題を解決するための手段】
【０００７】
発明者は，鋭意研究の結果，術者の取り扱い性を向上させるため，針の穿刺方向について，形状や色など，目印となる部分を設けることに想到し，発明を完成させたものである。
【０００８】
さらに発明者は検討を行った。すなわち，針等を穿刺する場合，静脈方向に沿って斜めに穿刺するため，皮膚表面の穿刺部分と静脈部位の穿刺部分は，穿刺方向に数mm程度ではあるが，ずれてしまう。このことから，穿刺部分の圧迫を行うためには，穿刺方向に沿って縦長に圧迫を行う方が確実かつ効果的であることを発明者は見出した。この知見から，医療用止血バンの縦横の幅を変え，穿刺方向に長い形状とした改良医療用止血バンの発明を完成させた。
【０００９】
本発明は，以下の構成からなる。
本発明の第一の構成は，穿刺方向を示す目印を有する貼付部材と，前記貼付部材の中央に設けられたパット部材からなることを特徴とする医療用止血バンである。
【００１０】
本発明の第二の構成は，前記パット部材において穿刺方向を縦として，横幅よりも縦幅が長い構成となっていることを特徴とする第一の構成に記載の医療用止血バンである。
本発明の第三の構成は，穿刺方向を示す目印として，切り欠け部若しくは切れ目等の形状，素材の色や形若しくは材質の違い，これらを単独又は組み合わせて目印を設けることを特徴とする第一又は第二の構成に記載の医療用止血バンである。
本発明の第四の構成は，パッド部材の縦軸方向に沿った形で切り欠け部が設けられていることを特徴とする第三の構成に記載の医療用止血バンである。
本発明の第五の構成は，前記切り欠け部とパットの間が5から40mm離れていることを特徴とする第四の構成に記載の医療用止血バンである。
【００１１】
本発明の第六の構成は，前記パット部材が，横幅に対する縦幅の比が1.1から3.0であり，その幅の差が2mm以上，その形状が楕円様ないし長方形様の形状であることを特徴とする第一から第五の構成に記載の医療用止血バンである。
本発明の第七の構成は，前記パッド部材の横幅が5から40mm，縦幅が5.5から80mmであることを特徴とする第一から第六の構成に記載の医療用止血バンである。
【００１２】
本発明の第八の構成は，パッド部材が，レーヨン，ポリエステル，セルロース，ポリプロピレン，ハイドロコロイド素材，アルギン酸塩，ハイドロゲルのいずれか又は複数から選択されることを特徴とする第一から第七の構成に記載の医療用止血バンである。
本発明の第九の構成は，貼付部材において，アクリル系粘着剤，シリコーン系粘着剤，ウレタン系粘着剤のいずれか又は複数を用いることを特徴とする第一から第八の構成に記載の医療用止血バンである。
本発明の第十の構成は，第一ないし第九の構成に記載の医療用止血バン貼付部材において，穿刺方向を示す目印部分に糊無セパレーター部材が貼付され，かつ，これと反対側に把手シート部材が貼付され，これら部材を覆うように貼付部材全体に糊付セパレーター部材が貼付され，これらがコールドシールにより覆われていることを特徴とする医療用止血バン製品である。
【発明の効果】
【００１３】
本発明により，上下左右対称であり，かつ縦横の幅が同じという従来あった医療用止血バンに替わる，より機能性を備えた医療用止血バンの提供が可能となった。
すなわち，本発明によれば，針の穿刺方向に，形状や色など，穿刺方向の目印が設けられていることから，術者の取り扱い性を向上させることが可能となる。
また，縦横幅が異なる構成によれば，貼付部材中央に備えられたパット部材が，縦長となっていることから，血管部分と皮膚部分，両方の穿刺部位を効果的に圧迫することが可能となる。加えて，穿刺方向に目印となる切り欠け部が貼付部材に設けられていることから，医療用止血バンを貼る際も間違うことなく貼ることができ，使用者の取り扱いの観点からも優れるものである。
【図面の簡単な説明】
【００１４】
【図１】医療用止血バンの例を示した図
【図２】医療用止血バンの例を示した図
【図３】医療用止血バンの例を示した図
【図４】医療用止血バンの構成を模式的に示した図
【図５】医療用止血バンの試作例を示した図
【発明を実施するための形態】
【００１５】
以下，本発明の医療用止血バンについて図面を例にとり説明を行うが，本発明を以下の内容に限定して解釈すべきでないことはいうまでもない。
【００１６】
＜＜Ｉ．医療用止血バンの構成＞＞＞
本発明の医療用止血バンは，貼付部材とパッド部材を必須の構成とする。
【００１７】
貼付部材は，その中央部にパッド部材を備えるとともに，穿刺部位の皮膚表面に貼り付けられ，保持する役割を有する。貼付部材は，これらの役割を有する限り特に限定する必要はなく，パッド部材を覆う十分な面積を有するとともに，取扱いに支障のないような形状とすればよい。そのような形状として，例えば，円状，楕円状，正方形や長方形などの多角形状などが挙げられる。
【００１８】
貼付部材は，穿刺方向の目安となる目印を必須の構成とする。これにより，穿刺を行う際や医療用止血バンを貼付する際の目印の一つとすることができ，医療用止血バンの取り扱い性を向上させる効果を有する。
本発明において目印は，穿刺方向の目安となる限り特に限定する必要はなく，後述する切り欠け部や切れ目などの形状による目印，色や材質などの外観による目印など種々の構成を目印とすることができ，これらの目印を単独で用いてもよいし，組み合わせて用いてもよい。
本発明において，目印として切り欠け部を用いることが好ましい。これにより，針の穿刺方向を確認することがより容易かつ確実になるため，本発明の医療用止血バンの取扱性を向上させる効果を有する。
切り欠け部については，この目印としての役割を果たす限り特に限定する必要はないが，図１などの例に示すような，穿刺方向に沿って半楕円型や三角形状などの形状とすればよい。また，切り欠け部は，中央部に設けられたパッド部材の長軸方向に沿った形で設けられる。
また，切り欠け部について，切り欠け部先端とパッド部材との距離を適切に保つ必要があり，この距離を5から40mmの間で保つことが好ましい。これにより，パット部材の厚みがあっても，十分な貼付が可能となり，本発明の医療用止血バンの機能を向上させる効果を有する。
【００１９】
貼付部材に用いる粘着剤としては，アクリル系粘着剤，シリコーン粘着剤，ウレタン系粘着剤，これらのいずれかもしくはこれらを組み合わせて用いることが好ましい。これにより，医療用止血バンを剥ぐ際の皮膚剥離のリスクを低減することが可能となり，医療用止血バンの安全性を向上させる効果を有する。
貼付部材の素材については，医療用止血バンに通常用いられる素材を用いればよく，例えば，ナイロン不織布などを用いればよい。
【００２０】
パッド部材は，穿刺部分から漏出する血液を吸収するとともに，穿刺部分を圧迫して止血するための役割を有する。パッド部材は，所定の縦横比を満たしつつ，これらの役割を有する限り特に限定する必要はなく，通常用いられるパッド部材を用いればよい。
パッド部材は，穿刺方向を縦として，横幅よりも縦幅を長くすることが好ましい。通常，穿刺部分からの出血は，穿刺方向と逆方向に出血し横方向への広がりは少ないため，パット部材を穿刺方向に長くすることにより，効果的な血液の吸収を行いながら，圧迫止血が可能となるという効果を有する。
また，パット部材は，横幅に対する縦幅の比が1.1から3.0であって，その幅の差が2.0mm以上の構成とすることが好ましい。これにより，皮膚と血管の穿刺部分を効率的に圧迫することが可能となり，医療用止血バンの止血効果を向上させる効果を有する。このようなパッド部材の形状として，楕円状ないし長方形状の形状とすればよい。なお，楕円様ないし長方形様については，これらの形状に限定されず若干変形させたような形状を含むものであり，例えば，楕円様であれば，たまごのような形状（オーバル形状）などを含むものである。
さらにパッド部材は，横幅を5から40mm，縦幅を5.5から80mmとすることが好ましい。これにより，パッド部材が血管等の穿刺部分の大きさにあった適切な大きさとすることが可能となり，医療用止血バンの性能を向上させる効果を有する。
パッド部材の素材は，通常パッド部材に用いられる素材のものを用いればよく，このような素材として，例えば，レーヨン，ポリエステル，セルロース，ポリプロピレン，ハイドロコロイド，アルギン酸塩，ハイドロゲルなどの素材が挙げられる。
【００２１】
医療用止血バンにおいて，図４に示すように，さらに切り欠け部に糊無セパレーター部材を貼付し，これと反対側に把手シート部材が貼付され，これら部材を覆うように貼付部材全体に糊付セパレーター部材が貼付される製品とすることが好ましい。これにより，医療用止血バンを用いる際の取り扱い性を向上させる効果を有する。
さらにこの製品全体をコールドシールに覆うことにより，個別包装の医療用止血バンとすることができ，コールドシールを剥がすことにより，速やかに切り欠け部に設置された糊無セパレーターをつかんで使用することが可能となることから，製品の取り扱い性をさらに向上させる効果を有する。
【００２２】
＜＜II．実施態様＞＞
［実施態様１］
図１は，本発明の医療用止血バン１の構成図を示した図である。
医療用止血バン１は，主要部材としてパット部材11ならびに貼付部材12から構成されている。それぞれの部材について，パット部材11は，楕円状で横幅が約10mm，縦幅が約20mmの大きさを有し，貼付部材は，楕円状で横幅が約30mm，縦幅が約35mmであって，切り欠け部13を有している。図には示していないが，これら主要部材に加え，糊無セパレーター部材，糊付セパレーター部材，把手シートが合わさった形で医療用止血バンは構成されており，これがコールドシール14に覆われた形の製品となっている。
本実施態様は，適度な大きさで構成されており，汎用性に優れた製品として構成されている。
【００２３】
［実施態様２］
図２は，本発明の医療用止血バン２の構成図を示した図である。
医療用止血バン２は，主要部材としてパット部材21ならびに貼付部材22から構成されている。それぞれの部材について，パット部材21は，楕円状で横幅が約16mm，縦幅が約20mmの大きさを有し，貼付部材は，楕円状で横幅が約36mm，縦幅が約40mmであって，切り欠け部23を有している。図には示していないが，これら主要部材に加え，糊無セパレーター部材，糊付セパレーター部材，把手シートが合わさった形で医療用止血バンは構成されており，これがコールドシール24に覆われた形の製品となっている。
本実施態様は，実施態様１よりも大きい製品として構成されている。
【００２４】
［実施態様３］
図３は，本発明の医療用止血バン３の構成図を示した図である。
医療用止血バン３は，主要部材としてパット部材31ならびに貼付部材32から構成されている。それぞれの部材について，パット部材31は，楕円状で横幅が約16mm，縦幅が約20mmの大きさを有し，貼付部材は，羽つきの楕円状であり，横幅が約42mm，縦幅が約40mmであって，切り欠け部33を有している。図には示していないが，これら主要部材に加え，糊無セパレーター部材，糊付セパレーター部材，把手シートが合わさった形で医療用止血バンは構成されており，これがコールドシール34に覆われた形の製品となっている。
本実施態様によれば，シャントで膨れ上がっているような部位であっても，安定して貼付することが可能である。
【００２５】
＜＜III．医療用止血バンの構成例＞＞
図４は，実施態様１に示す医療用止血バン製品の構成を模式的に示した図である。医療用止血バンは，図４に示すような構成とすることが好ましい。すなわち，医療用止血バンの主要部材として，パット部材11，貼付部材12からなり，これらに加えて，貼付部材の切り欠け部13側に糊無セパレーター部材15が貼付されており，これと反対側に把手シート部材16が貼付され，これら部材を覆うように貼付部材全体に糊付セパレーター部材17が貼付され，これを医療用止血バンとして，一対のコールドシール14で覆うような構成である。この構成により，医療用止血バンを用いる際の取り扱い性を向上させる効果を有するとともに，個別包装の医療用止血バンとすることができ，コールドシールを剥がすことにより，速やかに切り欠け部に設置された糊無セパレーターをつかんで使用することが可能となることから，製品の取り扱い性をさらに向上させる効果を有する。
【００２６】
＜＜IV．試作例＞＞
図５は，実施態様１に該当する医療用止血バンの試作例である。図に示すとおり，外観は白色のコールドシールで覆われており（図５，A），コールドシールを開くと医療用止血バンが露出し，セパレーターをつかみ，速やかに剥がすことができる（図５，B，C）。セパレーターを保持しながら穿刺部位に貼付し（図５，D），最後にセパレーターを剥がして，完全に貼付した状態とすることができる（図５，E）。
【図１】
2017006437.tif 000003
【図２】
2017006437.tif 000004
【図３】
2017006437.tif 000005
【図４】
2017006437.tif 000006
【図５】
2017006437.tif 000007